(57)【要約】【課題】既存のコンピュータ本体内で冷媒を循環させて冷却空気を生成するとともにコンピュータ本体内に流入させて本体を冷却させるシステム装置を提供する。【解決手段】コンピュータ本体の両側面を開閉する側面カバーのいずれか一方に、外部空気が流入するように形成された開放孔から離隔して冷却孔が形成され、前記コンピュータ本体の側面カバーの内側に、冷媒タンクに貯蔵された冷媒を供給−循環−回収する過程によって冷却空気を生成させるとともに冷媒を冷却させ、コンピュータ本体の内部を冷却空気で冷却させる冷却手段を備える。冷媒を熱交換装置によって強制で循環させることで冷却空気を生成してコンピュータ本体の内部に強制で供給することにより、冷却空気をコンピュータ本体内に流入させて本体を冷却させる効果がある。【選択図】  図１
2011141859.tif 000002
【特許請求の範囲】
【請求項１】
コンピュータ本体１１０で発生する熱を冷却させる装置において、
前記コンピュータ本体１１０の両側面を開閉する側面カバー１１１のいずれか一方に、外部空気が流入するように形成された開放孔１１２から離隔して冷却孔１１５が形成され、
前記コンピュータ本体１１０の側面カバー１１１の内側に、冷媒タンク１３０に貯蔵された冷媒を供給−循環−回収する過程で冷却空気を生成するとともに冷媒を冷却させ、コンピュータ本体１１０の内部を冷却空気で冷却させる冷却手段１７０を備えることを特徴とする、冷却空気をコンピュータ本体内に流入させて冷却させる冷却装置。
【請求項２】
前記冷却手段１７０は、
冷媒タンク１３０を内部に備え、低温、低圧の気体冷媒の圧力を凝縮液化可能な凝縮温度に相当する飽和圧力まで高める圧縮機１７１と、
前記冷媒タンク１３０内に貯蔵された冷媒をポンピング作用で受ける高温、高圧の気状冷媒を冷却された低温の液状冷媒に変化させるときに発生する熱を凝縮器ファン１７２ａの送風で外部に排出する凝縮器１７２と、
前記凝縮器１７２を経た液化冷媒を狭い通路から広い通路に移動させるときに圧力が減少しながら蒸発するようにする膨脹弁１７３と、
前記膨脹弁１７３を通過した低温、低圧の気体冷媒の蒸発熱によって冷気を得、圧縮機１７１に低温、低圧の気体冷媒を伝達するように連結される蒸発器１７４と、を含んでなることを特徴とする、請求項１に記載の冷却空気をコンピュータ本体内に流入させて本体を冷却させる冷却装置。
【請求項３】
コンピュータ本体１１０で発生する熱を冷却させる装置において、
前記コンピュータ本体１１０の両側面を開閉する側面カバー１１１のいずれか一方に、外部空気が流入するように形成された開放孔１１２の後方に熱交換装置１２０が設置され、前記開放孔１１２から離隔して形成された冷却孔１１５の後方に、閉鎖板１１６によって取り囲まれる冷却器１２３が熱交換装置１２０から冷媒を受けるように連結され、
前記コンピュータ本体１１０のケース１１３内部一側に設置される冷媒タンク１３０内の冷媒をポンピング作用で熱交換装置１２０を通じて冷却器１２３に供給−循環−回収する過程によって冷却空気を生成させるとともに冷媒を冷却させて、コンピュータ本体１１０内部を冷却空気で冷却させるように構成されることを特徴とする、冷却空気をコンピュータ本体内に流入させて冷却させる冷却装置。
【請求項４】
前記熱交換装置１４０で生成した冷却空気を送風力でコンピュータ本体１１０のケース１１３の内部に供給するように、側面カバー１１１の熱交換装置１２０の後方に設置された送風ファン１４０を含むことを特徴とする、請求項３に記載の冷却空気をコンピュータ本体内に流入させて冷却させる冷却装置。
【請求項５】
前記コンピュータ本体１１０のケース１１３外部前面には、送風ファン１４０の作動状態、及びコンピュータ本体１１０の内部温度を表示するディスプレイ５０が形成され、
前記送風ファン１４０、及び熱交換装置１２０に冷媒を強制で循環させる冷媒循環ポンプ１３１の電源制御のための電源スイッチ１６１、及び作動を制御する作動スイッチ１６２を含むことを特徴とする、請求項３に記載の冷却空気をコンピュータ本体内に流入させて冷却させる冷却装置。
【請求項６】
前記送風ファン１４０と冷媒循環ポンプ１３１は電源をコンピュータ本体１１０から受けるかあるいは別に電源を受けて作動するように構成されることを特徴とする、請求項５に記載の冷却空気をコンピュータ本体内に流入させて冷却させる冷却装置。
【請求項７】
前記コンピュータ本体１１０の両側面を開閉する側面カバー１１１のいずれか一方に、外部空気が流入するように形成された開放孔１１２と干渉しないように形成される冷却孔１１５の後方に閉鎖板１１６によって取り囲まれるように冷却器１２３が設置され、
前記熱交換装置１２０はコンピュータ本体１１０のケース１１３の内部下側に設置され、冷却のために、温度の上昇した冷媒が冷却器１２３によって冷却されて冷媒タンク１３０に流入するように構成されることを特徴とする、請求項３に記載の冷却空気をコンピュータ本体内に流入させて冷却させる冷却装置。
【請求項８】
前記熱交換装置１２０で発生する冷却空気の循環のために、側面カバー１１１の開放孔１１２の内側に送風ファン１４０を含んでなることを特徴とする、請求項７に記載の冷却空気をコンピュータ本体内に流入させて冷却させる冷却装置。
【請求項９】
コンピュータ本体１０で発生する熱を冷却させる装置において、
前記コンピュータ本体１０の一側に着脱可能に設置されるケース２０の内部に設置される冷媒タンク３０内の冷媒をポンピング作用で供給−循環−回収する過程によって冷却手段８０で冷却空気を生成し、
前記熱交換装置４０で生成した冷却空気を送風ファン５０の送風力でコンピュータ本体１０の内部に供給するように構成されることを特徴とする、冷却空気をコンピュータ本体内に流入させて本体を冷却させる冷却装置。
【請求項１０】
前記冷却手段８０は、
冷媒タンク３０を内部に備え、低温、低圧の気体冷媒の圧力を凝縮液化可能な凝縮温度に相当する飽和圧力まで高める圧縮機８１と、
前記冷媒タンク３０内からポンピング作用で受ける高温、高圧の気状冷媒を冷却された低温の液状冷媒に変化させるときに発生する熱を凝縮器ファン８２ａの送風で外部に排出する凝縮器８２と、
前記凝縮器８２を経た液化冷媒を狭い通路から広い通路に移動させるときに圧力が減少しながら蒸発するようにする膨脹弁８３と、
前記膨脹弁８３を通過した低温、低圧の気体冷媒の蒸発熱によって冷気を得、圧縮機８１に低温、低圧の気体冷媒を伝達するように連結される蒸発器８４とを含んでなることを特徴とする、請求項９に記載の冷却空気をコンピュータ本体内に流入させて本体を冷却させる冷却装置。
【請求項１１】
コンピュータ本体１０で発生する熱を冷却させる装置において、
前記コンピュータ本体１０の一側に着脱可能に設置されるケース２０の内部に設置される冷媒タンク３０内の冷媒をポンピング作用で供給−循環−回収する過程によって熱交換装置４０で冷却空気を生成し、
前記熱交換装置４０で生成した冷却空気を送風ファン５０の送風力でコンピュータ本体１０の内部に供給するように構成されることを特徴とする、冷却空気をコンピュータ本体内に流入させて本体を冷却させる冷却装置。
【請求項１２】
前記ケース２０の一側には、送風ファン５０の作動状態、及びコンピュータ本体１０の内部温度を表示するディスプレイ６０が形成され、
前記送風ファン５０、及び熱交換装置４０に冷媒を強制で循環させる冷媒循環ポンプ３１の電源制御のための電源スイッチ７１、及び作動を制御する作動スイッチ７２を含むことを特徴とする、請求項１１に記載の冷却空気をコンピュータ本体内に流入させて本体を冷却させる冷却装置。
【請求項１３】
前記ケース２０はコンピュータ本体１０に着脱可能に付着され、送風ファン５０と冷媒循環ポンプ３１は電源をコンピュータ本体１０から受けるかあるいは別に電源を受けて作動するように構成されることを特徴とする、請求項１２に記載の冷却空気をコンピュータ本体内に流入させて本体を冷却させる冷却装置。
【発明の詳細な説明】
【技術分野】
【０００１】
本発明は冷却空気をコンピュータ本体内に流入させて冷却させる冷却装置に係り、特に既存のコンピュータ本体内で冷媒を循環させて冷却空気を生成するとともにコンピュータ本体内に流入させて本体を冷却させるシステム装置に関する。
【背景技術】
【０００２】
一般に、コンピュータを含む電子機器は熱を発生させる部品を含むというのはよく知られている。
【０００３】
電子機器、例えばコンピュータを作動温度範囲内で維持させるために、発熱部品からの熱を除去するための多様な類型の冷却装置が提案されて来た。
【０００４】
すなわち、現在まで開発されて使用されている従来の装置のうちには、水冷式、空冷式またはガスと冷媒を組み合わせた方式を採用した装置などの色々のものがあるが、ファンを用いた強制空冷式を採用した装置が主流をなしている。
【０００５】
しかし、このような従来の装置は多くの欠点を持っている。従来の冷却装置の欠点の一つは冷却能力の不足を挙げることができる。現在主流をなしている空冷式の冷却装置は、電子産業の眩しい発展速度で部品の集積密度が日増しに高くなっており、それによる発熱密度も一緒に高くなるため、冷却ファンの持続的な性能向上にもかかわらず、発生熱を充分に解決するのには限界があった。
【０００６】
また、冷却能力を増大させるための努力の結果として、冷却装置が大型化及び／または複雑化する問題点も発生している。
【０００７】
そして、空冷式の冷却装置は、前記のような不十分な冷却能力の外にも、ファンを使用することによって騷音が発生するという問題点を持っている。
【０００８】
すなわち、前記空冷式冷却装置はコンピュータ本体が設置された位置に大きく影響されるが、空気循環が円滑ではないかあるいはコンピュータ内部の熱気を外部に円滑に排出することができない場合、コンピュータ内部の作動機器の冷却効率は著しく低下して機器が誤作動を引き起こす問題点があった。
【０００９】
よって、既存の空冷方式とともに冷却空気をコンピュータ本体内に流入させてコンピュータ内部の発熱する作動機器を早く冷却させて作動効率が低下しないようにするコンピュータ冷却装置が切実に要求されているのが実情である。
【発明の概要】
【発明が解決しようとする課題】
【００１０】
したがって、本発明は前記のような従来技術の問題点に鑑みてなされたもので、冷媒を熱交換装置に強制で循環させながら冷却空気を生成してコンピュータ本体の内部に強制で供給することで、冷却空気をコンピュータ本体内に流入させて冷却させる冷却装置を提供することにその目的がある。
【００１１】
そして、本発明の他の目的は、着脱可能であって、必要によって選択的に使用可能にすることにある。
【００１２】
さらに、本発明のさらに他の目的は、コンピュータの内部温度をチェックして表示することで冷却を調節して、冷却効率の向上とコンピュータ部品の作動安定化をなすことにある。
【００１３】
また、本発明のさらに他の目的は、既存のコンピュータ本体の内部に設置して使用することができるようにして、冷却装置の設置による構造的変更が不要であり、体積の変化なしに具現可能にすることにある。
【課題を解決するための手段】
【００１４】
前記のような目的を達成するために、本発明は、コンピュータ本体で発生する熱を冷却させる装置であって、前記コンピュータ本体の両側面を開閉する側面カバーのいずれか一方に、外部空気が流入するように形成された開放孔から離隔して冷却孔が形成され、前記コンピュータ本体の側面カバーの内側に、冷媒タンクに貯蔵された冷媒を供給−循環−回収する過程によって冷却空気を生成させるとともに冷媒を冷却させ、コンピュータ本体の内部を冷却空気で冷却させる冷却手段を備える、冷却空気をコンピュータ本体内に流入させて冷却させる冷却装置を提供する。
【発明の効果】
【００１５】
以上のように、本発明は冷媒を熱交換装置に強制で循環させながら冷却空気を生成してコンピュータ本体の内部に強制で供給することで、コンピュータ冷却空気をコンピュータ本体内に流入させて本体を冷却させる効果がある。
【００１６】
そして、着脱可能であって、必要によって選択的に使用可能にする効果がある。
【００１７】
さらに、コンピュータの内部温度をチェックして表示して冷却を調節することで、冷却効率の向上とコンピュータ部品の作動安定化を成す効果がある。
【００１８】
また、既存のコンピュータ本体の内部に設置して使用することができるようにして、冷却装置の設置による構造的変更が不要であり、体積の変化なしに具現可能にする効果がある。
【図面の簡単な説明】
【００１９】
【図１】本発明の一実施例による冷却空気をコンピュータ本体内に流入させて冷却させる冷却装置の部分分解斜視図である。
【図２】冷却空気をコンピュータ本体内に流入させて冷却させる概略作動状態図である。
【図３】本発明の他の実施例による冷却空気をコンピュータ本体内に流入させて冷却させる冷却装置の部分分解斜視図である。
【図４】図３の結合斜視図である。
【図５ａ】図４のＡ−Ａ線についての断面図である。
【図５ｂ】図４のＢ−Ｂ線についての断面図である。
【図６】本発明のさらに他の実施例による冷却空気をコンピュータ本体内に流入させて冷却させる冷却装置の部分分解斜視図である。
【図７】図６において、冷却空気をコンピュータ本体内に流入させて冷却させる冷却装置を平面に投映した構成図である。
【図８】本発明のさらに他の実施例による冷却空気をコンピュータ本体内に流入させて冷却させる冷却装置の部分分解斜視図である。
【図９】冷却空気をコンピュータ本体内に流入させて冷却させる概略作動状態図である。
【図１０】本発明のさらに他の実施例による冷却空気をコンピュータ本体内に流入させて冷却させる冷却装置とコンピュータ本体の分解斜視図である。
【図１１】本発明による冷却空気をコンピュータ本体内に流入させて冷却させる冷却装置の投映斜視図である。
【図１２】本発明による冷却空気をコンピュータ本体内に流入させて冷却させる冷却装置の構成図である。
【図１３】本発明による冷却空気をコンピュータ本体内に流入させて冷却させる冷却装置を用いたコンピュータ本体の冷却状態を示す例示図である。
【発明を実施するための形態】
【００２０】
以下、本発明の好適な実施例を添付図面に基づいて詳細に説明する。
【００２１】
図１及び図２に示すように、本発明の一実施例によるコンピュータ本体１１０で発生する熱を冷却させる装置は、前記コンピュータ本体１１０の両側面を開閉する側面カバー１１１のいずれか一方に外部空気が流入するように形成された開放孔１１２から離隔して冷却孔１１５を形成し、前記コンピュータ本体１１０の側面カバー１１１の内側に、冷媒タンク１３０に貯蔵された冷媒を供給−循環−回収過程によって冷却空気を生成するとともに冷媒を冷却させることで、コンピュータ本体１１０の内部を冷却空気で冷却させる冷却手段１７０を備えている。
【００２２】
まず、前記コンピュータ本体１１０の両側面を開閉する側面カバー１１１のいずれか一方に、外部空気が流入するように形成された開放孔１１２から離隔して冷却孔１１５が形成される。
【００２３】
そして、前記コンピュータ本体１１０の側面カバー１１１の内側に、冷媒タンク１３０に貯蔵された冷媒を供給−循環−回収する過程によって冷却空気を生成するとともに冷媒を冷却させることで、コンピュータ本体１１０の内部を冷却空気で冷却させる冷却手段１７０を備えている。
【００２４】
ここで、前記冷却手段１７０は、冷媒タンク１３０が内部に設置され、低温、低圧の気体冷媒の圧力を凝縮液化可能な凝縮温度に相当する飽和圧力まで高める圧縮機１７１が設置される。
【００２５】
さらに、前記冷媒タンク１３０内からポンピング作用で受ける高温、高圧の気状冷媒を冷却された低温の液状冷媒に変える凝縮器１７２が備えられる。
【００２６】
かかる凝縮器１７２は開放孔１１２の後方に設置され、並列に配置された多数の放熱板１２２をジグザグ状に冷媒管１１１が通過するように構成され、前記開放孔１１２に形成された放熱板１２２の反対側には、冷媒管１２１と干渉しないように放熱板１２２の一部が切断されて形成される空間の内部に凝縮器ファン１７２ａが設置される。
【００２７】
そして、前記凝縮器１７２は側面カバー１１１に付着されるカバー１７２ｂによって四方が取り囲まれるように形成されることにより、凝縮器１７２で発生する熱い熱がコンピュータ本体１１０の内部に流入できないように構成したものである。
【００２８】
さらに、前記凝縮器１７２を経た液化冷媒を狭い通路から広い通路に移動させるときに冷媒の圧力が減少しながら蒸発するようにする膨脹弁１７３が設置される。
【００２９】
また、前記膨脹弁１７３を通過した低温、低圧の気体冷媒の蒸発熱によって冷気を得てから圧縮機１７１に低温、低圧の気体冷媒を伝達するように蒸発器１７４が連結される。
【００３０】
そして、前記蒸発器１７４は側面カバー１１１に形成される冷却孔１１５の後方に設置される。
【００３１】
この際、前記蒸発器１７４は冷却孔１１５の後方に設置され、並列に配置された多数の放熱板１２２をジグザグ状に冷媒管１２１が通過し、前記冷却孔１１５が形成された放熱板１２２の方には冷媒管１２１と干渉しないように放熱板１２２の一部が切断されてなる空間の内部に送風ファン１４０が設置される。
【００３２】
図３〜図５ｂに示すように、本発明の他の実施例によるコンピュータ本体１１０で発生する熱を冷却させる装置は、コンピュータ本体１１０の側面カバー１１１に冷却器１２３と熱交換装置１２０が設置され、前記熱交換装置１２０に冷媒タンク１３０に貯蔵された冷媒を循環させて冷却空気を生成し、温度が上昇した冷媒は冷却器１２３を通過しながら冷却されて冷媒タンク１３０に回収され、冷却空気によってコンピュータ本体１１０の内部が冷却されるようにするコンピュータ冷却装置１０００である。
【００３３】
前記コンピュータ本体１１０の両側面を開閉する側面カバー１１１のいずれか一方に、外部空気が流入するように形成された開放孔１１２の後方に熱交換装置１２０が設置される。
【００３４】
そして、前記開放孔１１２から離隔して形成された冷却孔１１５の後方に閉鎖板１１６によって取り囲まれる冷却器１２３が熱交換装置１２０から冷媒を受けるように連結設置される。
【００３５】
この際、前記熱交換装置１２０は、冷媒タンク１３０の冷媒が循環される冷媒管１２１がジグザグ状に配置され、前記冷媒管１２１の間には熱を発散する放熱板１２２が結合されてなる。
【００３６】
さらに、前記冷却器１２３は熱交換装置１２０を通過しながら外部の熱気を冷却空気に変換させることにより温度が上昇した冷媒を冷却させるように構成されるもので、冷却時に発生する熱は冷却孔１１５を通じて外部に排出されるが、冷媒の冷却時に発生する熱は閉鎖板１１６によってコンピュータ本体１１０の内部に伝達されることができなくなる。
【００３７】
かかる冷却器１２３は、ジグザグ状に配置され、冷媒が流動する冷却管１２３ａの周囲に多数の冷却放熱板１２３ｂで構成される。
【００３８】
この際、前記冷却管１２３ａは熱交換装置１２０の冷媒管１２１と連結され、その内部に冷媒が流動するものである。
【００３９】
そして、前記コンピュータ本体１１０のケース１１３の内部一側に設置される冷媒タンク１３０内の冷媒をポンピング作用で熱交換装置１２０に対する供給−循環−回収過程によって冷却空気を生成してコンピュータ本体１１０の内部を冷却させるように構成される。
【００４０】
かかる熱交換装置１２０で生成した冷却空気を送風力によってコンピュータ本体１１０のケース１１３の内部に供給するように、側面カバー１１１の熱交換装置１２０の後方に送風ファン１４０が設置される。
【００４１】
すなわち、前記冷媒タンク１３０に貯蔵された冷媒が熱交換装置１２０内を循環するとき、送風ファン１４０が作動しながらコンピュータ本体１１０の外部空気を熱交換装置１２０の放熱板１２２の間に通過させながら冷却させた後、コンピュータ本体１１０の内部に流動させるものである。
【００４２】
そして、前記熱交換装置１２０を通過した冷媒は冷却器１２３を通過しながら冷却されて冷却タンク１３０に回収される。
【００４３】
さらに、前記コンピュータ本体１１０のケース１１３の外部前面には、送風ファン１４０の作動状態、及びコンピュータ本体１１０の内部温度を表示するディスプレイ１５０が形成される。
【００４４】
この際、前記ディスプレイ１５０に表示されるコンピュータ本体１１０の内部温度は図面上に表示しない温度センサーによってチェックされて表示することができる。
【００４５】
さらに、前記送風ファン１４０、及び熱交換装置１２０と冷却器１２３に冷媒を強制で循環させる冷媒循環ポンプ１３１の電源制御のための電源スイッチ１６１、及び作動を制御する作動スイッチ１６２が備えられる。
【００４６】
そして、前記送風ファン１４０と冷媒循環ポンプ１３１は電源をコンピュータ本体１１０から受けるかあるいは別に電源を受けて作動するように構成することができる。
【００４７】
ここで、前記コンピュータ本体１１０から電源を受ける場合は、コンピュータ本体１１０の電源供給部１１４から電源を受けるが、別途の電源を利用する場合はプラグを備えて電源を受けることができる。
【００４８】
さらに、前記冷媒循環ポンプ１３１によって冷媒タンク１３０内の冷媒をポンピング作用で供給−循環−回収することになるものである。
【００４９】
図６及び図７に示すように、本発明のさらに他の実施例は、前記コンピュータ本体１１０の両側面を開閉する側面カバー１１１のいずれか一方に、外部空気が流入するように形成された開放孔１１２と干渉しないように形成された冷却孔１１５の後方に閉鎖板１１６によって取り囲まれるように冷却器１２３が設置される。
【００５０】
そして、前記熱交換装置１２０はコンピュータ本体１１０のケース１１３の内部下側に設置される。
【００５１】
さらに、前記熱交換装置１２０で発生する冷却空気の循環のために、側面カバー１１１の開放孔１１２の内側に送風ファン１４０が設置され、送風ファン１４０の側面に冷却器１２３が設置される。
【００５２】
図８及び図９に示すように、本発明のさらに他の実施例による冷却空気をコンピュータ本体内に流入させて冷却させる冷却装置はコンピュータ本体１０で発生する熱を冷却させる装置であって、前記コンピュータ本体１０の一側に着脱可能に設置されるケース２０の内部に設置される冷媒タンク３０内の冷媒をポンピング作用で供給−循環−回収する過程によって冷却手段８０で冷却空気を生成し、前記熱交換装置４０で生成した冷却空気を送風ファン５０の送風力によってコンピュータ本体１０の内部に供給するように構成される。
【００５３】
まず、前記コンピュータ本体１０の一側に着脱可能に設置されるケース２０の内部に設置される冷媒タンク３０内の冷媒をポンピング作用で供給−循環−回収する過程によって冷却手段８０で冷却空気を生成する。
【００５４】
ここで、前記ケース２０の前後壁面には排気のための排気孔２１が形成され、前記排気孔２１の対向側には冷却空気が供給される冷却空気孔２２が形成される。
【００５５】
ここで、前記冷却手段８０は内部に冷媒タンク３０が設置され、低温、低圧の気体冷媒の圧力を凝縮液化可能な凝縮温度に相当する飽和圧力まで高める圧縮機８１が備えられる。
【００５６】
さらに、前記冷媒タンク３０内に貯蔵された冷媒をポンピング作用で受ける高温、高圧の気状冷媒を冷たく冷却された低温の液状冷媒に変化させるときに発生する熱を凝縮器ファン８２ａの送風によって外部に排出する凝縮器８２が備えられる。
【００５７】
かかる前記凝縮器８２は排気孔２１の後方に設置され、並列に配置された多数の放熱板４２をジグザグ状に冷媒管４１が通過して構成され、前記排気孔２１が形成された放熱板４２の反対側には冷媒管４１と干渉しないように放熱板４２の一部が切断されてなる空間の内部に凝縮器ファン８２ａが設置される。
【００５８】
そして、前記凝縮器８２はケース２０に付着されるカバー８２ｂによって四方が取り囲まれるように形成されることにより、凝縮器８２で発生する熱がケース２０の内部に流入しないように構成される。
【００５９】
さらに、前記凝縮器８２を経た液化冷媒を狭い通路から広い通路に移動させるときに圧力が減少しながら蒸発するようにする膨脹弁８３が備えられる。
【００６０】
また、前記膨脹弁８３を通過した低温、低圧の気体冷媒の蒸発熱を利用して冷気を得、圧縮機８１に低温、低圧の気体冷媒を伝達するように蒸発器８４が連結される。
【００６１】
この際、前記蒸発器８４は冷却空気孔２２の後方に設置され、並列に配置された多数の放熱板４２をジグザグ状に冷媒管４１が通過して構成され、前記冷却空気孔２２が形成された放熱板４２の反対側には冷媒管４１と干渉しないように放熱板４２の一部が切断されてなる空間の内部に送風ファン５０が設置される。
【００６２】
図１０〜図１３に示すように、本発明のさらに他の実施例による冷却空気をコンピュータ本体内に流入させて冷却させる冷却装置はコンピュータ本体１０で発生する熱を冷却させる装置であって、ケース２０の内部に、冷媒を貯蔵して保管する冷媒タンク３０と、前記冷媒タンク３０から供給される冷媒が循環する熱交換装置４０と、前記熱交換装置４０で生成した冷却空気を強制でコンピュータ本体１０の内部に供給する送風ファン５０とを含むコンピュータ冷却装置１００である。
【００６３】
前記ケース２０はコンピュータ本体１０の一側に設置され、前記ケース２０の一側には送風ファン５０の作動状態、及びコンピュータ本体１０の内部温度を表示するディスプレイ６０が備えられる。
【００６４】
そして、前記送風ファン５０、冷媒を強制で循環させる冷媒循環ポンプ３１の電源制御のための電源スイッチ７１、及び作動を制御する作動スイッチ７２が備えられる。
【００６５】
ここで、前記ケース２０は金属材またはプラスチック材で製造することができ、本発明においては、コンピュータ本体１０との着脱が容易になるように直方体状に製作される。
【００６６】
かかるケース１０の内部に設置される冷媒タンク３０内の冷媒をポンピング作用で供給−循環−回収しながら冷却空気を熱交換装置４０で生成する。
【００６７】
すなわち、前記冷媒循環ポンプ３１によって冷媒タンク３０内の冷媒をポンピング作用で供給−循環−回収することになるものである。
【００６８】
この際、前記熱交換装置４０は、冷媒タンク３０の冷媒が循環される冷媒管４１がジグザグ状に位置し、前記冷媒管４１の間には熱を発散する放熱板４２が結合されて構成される。
【００６９】
すなわち、前記熱交換装置４０で発生した冷却空気を送風ファン５０の強制送風力でコンピュータ本体１０の内部に供給するように構成される。
【００７０】
さらに、前記ケース２０はコンピュータ本体１０に着脱可能に付着可能である。
【００７１】
そして、前記送風ファン５０と冷媒循環ポンプ３１は電源をコンピュータ本体１０から受けるかあるいは別に電源を受けて作動するように構成される。
【００７２】
さらに、前記ケース２０は、両側面のなかでコンピュータ本体１０の反対側面が外部に開放して、熱交換装置４０の放熱板４２が露出されるように構成され、他側面は送風ファン５０が露出されるように開放しているので、冷却空気をコンピュータ本体１０の内部に供給することができる。
【００７３】
そして、前記送風ファン５０の吸入力によって開放部を通じて流入する外部空気に含有された異物を除去するためのフィルターがさらに熱交換装置４０の前面に設置される。
【００７４】
前記のように構成された本発明の作動及び作用を説明すれば次のようである。
【００７５】
図１及び図２に示すように、本発明の一実施例によるコンピュータ冷却装置１０００の冷却手段１７０は、圧縮機１７１で低温、低圧の気体冷媒の圧力を凝縮液化可能な凝縮温度に相当する飽和圧力まで高めた状態で凝縮器１７２に送り出す。
【００７６】
そして、前記凝縮器１７２に送り出された冷媒は、高温、高圧の気状冷媒から冷却された低温の液状冷媒に変わって膨脹弁１７３に送り出される。
【００７７】
この際、前記凝縮器１７２で発生する熱はカバー１７２ｂによってコンピュータ本体１１０の内部に流動せずに、凝縮器ファン１７２ａの送風作用で開放孔１１２を通じて外部に排出される。
【００７８】
このように、前記膨脹弁１７３に伝達された液化冷媒は狭い通路から広い通路に移動させるときに圧力が減少しながら蒸発して蒸発器１７４に伝達される。
【００７９】
さらに、前記蒸発器１７４に供給された低温、低圧の気体冷媒の蒸発熱によって冷気を得、送風ファン１４０の作動でコンピュータ本体１１０の内部に送風させる。
【００８０】
すなわち、前記蒸発器１７４は、多数の放熱板１２２の周辺空気を急冷させて冷気を形成することになる。
【００８１】
また、前記蒸発器１７４に伝達された低温、低圧の気体冷媒は圧縮機１７１に伝達される。
【００８２】
この際、前記圧縮機１７１＞凝縮器１７２＞膨脹弁１７３＞蒸発器１７４の順に循環する冷媒は冷媒循環ポンプ１３１のポンピング作用で流動する。
【００８３】
図３〜図５ｂに示すように、本発明の他の実施例によるコンピュータ冷却装置１０００を使用するためには、コンピュータ本体１１０の一側面カバー１１１に外部空気が流入する開放孔１１２が形成される。
【００８４】
この際、前記開放孔１１２は単数で形成することもでき、小孔を多数形成することもできる。
【００８５】
そして、前記冷却器１２３と熱交換装置１２０が側面カバー１１１の開放孔１１２を閉鎖するように設置され、熱交換装置１２０の後方に送風ファン１４０が固定設置され、前記送風ファン１４０がコンピュータ本体１１０の内部に向かうようにした状態で側面カバー１１１がケース１１３に結合される。
【００８６】
ついで、前記冷媒タンク１３０の冷媒循環ポンプ１３１と送風ファン１４０に電源が供給される。この際、本発明の実施例においては、コンピュータ本体１１０の電源供給部１１４から電源を受ける場合を説明する。
【００８７】
このように、前記冷媒循環ポンプ１３１に電源が供給されれば、冷媒タンク１３０に貯蔵された冷媒が熱交換装置１２０に供給される。
【００８８】
このように、前記冷媒循環ポンプ１３１の作動による冷媒が熱交換装置１２０の冷媒管１２１に循環するとともに送風ファン１４０が作動することになる。
【００８９】
この際、前記冷媒管１２１を通じて循環する冷媒によって熱交換装置１２０の周辺空気が冷却され、送風ファン１４０の作動によってコンピュータ冷却装置１０００の外部から開放孔１１１を通じて熱交換装置１２０の放熱板１２２を通過する空気は冷却されてコンピュータ本体１１０に流入する。
【００９０】
そして、前記冷却空気の生成のために熱交換装置１２０を循環した冷媒は再冷却のために冷却器１２３の冷却管１２３ａに流動しながら冷却されて冷媒タンク１３０に再流入した後、熱交換装置１２０に送り出される循環−回収の過程を繰り返すことになる。
【００９１】
ここで、前記冷却器１２３に流動する冷媒を冷却させる過程で発生する熱は冷却孔１１５を通じて外部に放出されるとともに閉鎖板１１６によってコンピュータ本体１１０の内部には伝達されないので、冷却効率が低下することを防止する。
【００９２】
このように、冷却空気はコンピュータ本体１１０の内部に流入して、コンピュータ本体１１０のＣＰＵボード、グラフィックカードなどの装置が作動するときに発生する熱を冷却させる冷却クーラーとともに冷却機能を果たすことになる。
【００９３】
これにより、既存のコンピュータ本体１１０内の装置の作動の際に発生する熱を外部に排出する方式を脱して、冷却空気を外部から内部に流入させて冷却効率を増大させることができる利点がある。
【００９４】
また、必要によってコンピュータ冷却装置１０００を着脱することができるので、使用上必要によって選択的に使用することができる利点がある。
【００９５】
そして、前記送風ファン１４０の吸入力によって開放孔１１２を通じて流入する外部空気に含有された異物を除去するためのフィルターがさらに開放孔１１２の前面に設置される。
【００９６】
図８及び図９に示すように、本発明のさらに他の実施例によるコンピュータ冷却装置１００の前記冷却手段８０は、圧縮機８１で低温、低圧の気体冷媒の圧力を凝縮液化可能な凝縮温度に相当する飽和圧力まで高めた状態で凝縮器８２に伝達する。
【００９７】
そして、前記凝縮器８２に伝達された冷媒は、高温、高圧の気状冷媒から低温の液状冷媒に変わって膨脹弁８３に伝達される。
【００９８】
この際、前記凝縮器８２で発生する熱はカバー８２ｂによってケース２０の内部に流動せずに凝縮器ファン８２ａの送風作用で排気孔２１を通じて外部に排出される。
【００９９】
このように、前記膨脹弁８３に伝達された液化冷媒は狭い通路から広い通路に移動させるときに圧力が減少しながら蒸発して蒸発器８４に伝達される。
【０１００】
さらに、前記蒸発器８４に供給された低温、低圧の気体冷媒の蒸発熱によって冷気を得、送風ファン５０の作動でコンピュータ本体１０の内部に送風させる。
【０１０１】
すなわち、前記蒸発器８４に設置された多数の放熱板４２によって空気が急冷して冷気を形成することになる。
【０１０２】
また、前記蒸発器８４に伝達された低温、低圧の気体冷媒は圧縮機８１に伝達される。
【０１０３】
この際、前記圧縮機８１＞凝縮器８２＞膨脹弁８３＞蒸発器８４の順に循環する冷媒は冷媒循環ポンプ３１のポンピング作用で流動する。
【０１０４】
図１０〜図１３に示すように、本発明のさらに他の実施例によるコンピュータ冷却装置１００を使用するためには、コンピュータ本体１０の一側面に冷却空気を供給するための供給孔１１が形成される。
【０１０５】
この際、前記供給孔１１は単数で形成することもでき、多数の小孔で構成することもできる。
【０１０６】
そして、前記コンピュータ冷却装置１００のケース２０の送風ファン５０が露出される一側面が供給孔１１と一致してコンピュータ本体１０に付着される。
【０１０７】
かかるケース２０とコンピュータ本体１０の付着方式は磁力を利用するかあるいはボルトで締結して結合することができるが、本発明においてはボルトで締結する方式を例として説明する。
【０１０８】
ついで、前記冷媒タンク３０の冷媒循環ポンプ３１と送風ファン５０に電源が供給される。本発明においては、コンピュータ本体１０の電源供給部１２から電源を受ける場合を例として説明する。
【０１０９】
このように、前記冷媒循環ポンプ３１に電源が供給されれば、冷媒タンク３０に貯蔵された冷媒が熱交換装置４０に供給される。
【０１１０】
このように、前記冷媒循環ポンプ３１の作動によって熱交換装置４０の冷媒管４１に冷媒が循環するとともに送風ファン５０が作動する。
【０１１１】
この際、前記冷媒管４１を通じて循環される冷媒によって熱交換装置４０の周辺空気が冷却されるので、送風ファン５０の作動によってコンピュータ冷却装置１００の外部から熱交換装置４０の放熱板４２を通過する空気が冷却されてコンピュータ本体１０の供給孔１１を通じて流動する。
【０１１２】
このように、冷却空気はコンピュータ本体１０の供給孔１１を通じて内部に流入して、コンピュータ本体１０のＣＰＵボード、グラフィックカードなどの装置が作動するときに発生する熱を冷却させることになる。
【０１１３】
したがって、既存のコンピュータ本体１０内の装置の作動の際に発生する熱を外部に排出する方式を脱して、冷却空気を外部から内部に流入させて冷却効率を向上させることができる利点がある。
【０１１４】
また、必要によってコンピュータ冷却装置１００を着脱することができるので、使用上必要によって選択的に使用することができる利点がある。
【０１１５】
以上、本発明を特定の好適な実施例に基づいて示して説明したが、本発明は前述した実施例に限定されずに本発明の範疇を逸脱しない範囲内で当該技術分野で通常の知識を持った者によって多様な変更と修正が可能であろう。
【産業上の利用可能性】
【０１１６】
本発明は、コンピュータを作動温度範囲内で維持させるために、発熱部品からの熱を除去するための多様な類型の冷却装置に適用可能である。
【符号の説明】
【０１１７】
１０    コンピュータ本体
１１    供給孔
１２    電源供給部
２０    ケース
３０    冷媒タンク
４０    熱交換装置
４１    冷媒管
４２    放熱板
５０    送風ファン
６０    ディスプレイ
７１    電源スイッチ
７２    作動スイッチ
８０    冷却装置
８１    圧縮機
８２    凝縮器
８２ａ    凝縮器ファン
８２ｂ    カバー
８３    膨脹弁
８４    蒸発器
１００    コンピュータ冷却装置
１１０    コンピュータ本体
１１１    側面カバー
１１２    開放孔
１１３    ケース
１１４    電源供給部
１２０    熱交換装置
１２１    冷媒管
１２２    放熱板
１２３    冷却器
１２３ａ    冷却管
１３０    冷媒タンク
１３１    冷媒循環ポンプ
１４０    送風ファン
５０    ディスプレイ
１６１    電源スイッチ
１６２    作動スイッチ
１７０    冷却装置
１７１    圧縮機
１７２    凝縮器
１７３    膨脹弁
１７４    蒸発器
１０００    コンピュータ冷却装置
【図１】
2011141859.tif 000003
【図２】
2011141859.tif 000004
【図３】
2011141859.tif 000005
【図４】
2011141859.tif 000006
【図５ａ】
2011141859.tif 000007
【図５ｂ】
2011141859.tif 000008
【図６】
2011141859.tif 000009
【図７】
2011141859.tif 000010
【図８】
2011141859.tif 000011
【図９】
2011141859.tif 000012
【図１０】
2011141859.tif 000013
【図１１】
2011141859.tif 000014
【図１２】
2011141859.tif 000015
【図１３】
2011141859.tif 000016